(57)【特許請求の範囲】
【請求項１】
ケース内にリールを回転可能に、かつ一方向に付勢して設置し、このリールにコードをコード引き出し口からケース外に引き出し可能に巻回してなるコード巻取装置において、
前記コード引き出し口は、コードをリール面に対してほぼ平行に引き出す第１のコード引き出し口部と、コードを引き出す際に回転ローラにより曲げを付与してリール面に対してほぼ直角に引き出す第２のコード引き出し口部からなっており、
前記回転ローラとケースの側壁との間にコードの曲げ曲率以上の隙間が形成され、
断面が長径部と短径部からなるコードの短径部を通過させることによりコードを第１のコード引き出し口部と第２のコード引き出し口部とに配設変更可能とする溝状の開口部が両引き出し口部と連通して前記ケースに切欠き形成され、
前記回転ローラとリールの外周との間にコード捩じれ防止ガイドが設けられている、
ことを特徴とするコード巻取装置。
【請求項２】
回転ローラが、コードをリール面に対してほぼ直角となるケースの表面側及び裏面側に引き出し可能に２個設けられている請求項１記載のコード巻取装置。
【請求項３】
回転ローラが、コードをリール面に対してほぼ平行となる左右両側に引き出し可能に２個設けられているとともに、コードをリール面に対してほぼ直角となるケースの表面側及び裏面側に引き出し可能に２個設けられている請求項１記載のコード巻取装置。
【発明の詳細な説明】
【０００１】
【発明の属する技術分野】
この発明は、特にケース内のリール面に対してほぼ直角にコードを引き出すことができるようにしたコード巻取装置に関するものである。
【０００２】
【従来の技術】
従来、この種のコード巻取装置として、ケース内にリールを回転可能に、かつ一方向に付勢して設置し、このリールにコードをコード引き出し口からケース外に引き出し可能に巻回してなるコード巻取装置が知られている。このコード巻取装置には接点方式も、無接点方式も含む。
【０００３】
ところで、前記のコード巻取装置に設けられるコード引き出し口は、コードをリール面に対してほぼ平行に引き出すためにリールの外周縁側となるケースの側壁に設けられている。そのため、引き出し口からコードをリール面に対してほぼ平行に引き出すのはよいが、コード巻取装置の取り付け態様によっては引き出し口からのコードをその引き出し方向と角度をつけて引き出さざるを得ず、例えばコード巻取装置のリール面に対してほぼ直角側へ引き出さざるを得ない場合にはコードの引き出しがスムーズにいかないという問題があった。また、その取り付け態様によってコードをリール面に対してほぼ平行に引き出したり、リール面に対してほぼ直角側へ引き出したりする、コードの配設変えが簡単にできないという問題もあった。
【０００４】
【発明が解決しようとする課題】
そこでこの発明は、前記のような従来の問題点を解決し、コードを引き出し口からリール面に対してほぼ平行に引き出すことは勿論、リール面に対してほぼ直角側へ引き出す場合であってもスムーズに引き出すことができ、コードの配設変更も簡単にできるコード巻取装置を提供することを目的とする。
【０００５】
【課題を解決するための手段】
前記目的を達成するため、請求項１の発明は、前記に示すような構成のコード巻取装置において、前記コード引き出し口は、コードをリール面に対してほぼ平行に引き出す第１のコード引き出し口部と、コードを引き出す際に回転ローラにより曲げを付与してリール面に対してほぼ直角に引き出す第２のコード引き出し口部からなっており、前記回転ローラとケースの側壁との間にコードの曲げ曲率以上の隙間が形成され、断面が長径部と短径部からなるコードの短径部を通過させることによりコードを第１のコード引き出し口部と第２のコード引き出し口部とに配設変更可能とする溝状の開口部が両引き出し口部と連通して前記ケースに切欠き形成され、前記回転ローラとリールの外周との間にコード捩じれ防止ガイドが設けられている、ことを特徴とする。請求項２の発明は、請求項１において、回転ローラが、コードをリール面に対してほぼ直角となるケースの表面側及び裏面側に引き出し可能に２個設けられていることを特徴とする。請求項３の発明は、請求項１において、回転ローラが、コードをリール面に対してほぼ平行となる左右両側に引き出し可能に２個設けられているとともに、コードをリール面に対してほぼ直角となるケースの表面側及び裏面側に引き出し可能に２個設けられていることを特徴とする。
【０００７】
【発明の実施の形態】
この発明の一実施の形態を図面を参照して説明する。図１は一部破断の全体の平面図、図２は全体の正面図、図３は破断した部分の拡大平面図、図４は図３のＡ−Ａ線に沿う縦断側面図、図５は図３のＢ−Ｂ線に沿う縦断正面図である。
【０００８】
図１ないし５において、１はケース、２はケースカバーであって、これらケース１とカバー２で形成される中空内部にはリール３が図示しない中心軸で支持されて回転可能に、かつ図示しないばねにより一方向に付勢されて設置されている。コード巻取装置として中空内部に設置されているリール停止機構やそのほかの機構は従来より知られたものを使用しているため、ここでは説明を省略する。
【０００９】
５はケース１及びケースカバー２に設けられたコード引き出し口で、コード６をリール３面に対してほぼ平行に引き出す第１のコード引き出し口部５ａと、コード６をリール３面に対してほぼ直角となるケースカバー２の表面側に引き出す第２のコード引き出し口部５ｂとからなっている。コード６はこの実施の形態では図５にその断面が表示されているように長径部と短径部からなる２芯タイプとなっている。第１のコード引き出し口部５ａはケース１とケースカバー２の合わせ目に形成され、ここからコード６をリール３面に対してほぼ平行に引き出し可能になっている。第２のコード引き出し口部５ｂはケースカバー２に一体に設けた膨大壁部７に形成され、ここからコード６をリール３面に対してほぼ直角となるケースカバー２の表面側に引き出し可能になっている。
【００１０】
膨大壁部７のあるケースカバー２内には第２のコード引き出し口部５ｂから引き出されるコード６に曲げを付与する湾曲体としての回転ローラ10が、コード捩じれ防止ガイド11と一体となった支持部12に支持されて配設されている。ガイド11と支持部12は図５から明らかのように回転ローラ10の支持軸部を境目として、ケース１とケースカバー２側に設けられた２つの部材からなっている。ガイド11は図３から明らかのように外側に向けて末広がり状に形成され、リール３の外周から回転ローラ10の表面に短径部が接する向きに引き出されるコード６を、該末広がり状ガイド11によって長径部が回転ローラ10の表面に接するようにほぼ直角に向きを変えて回転ローラ10にその扁平な長径部が載るように案内する。回転ローラ10の前方に位置するケースカバー２の側壁には回転ローラ10とコード６の曲げ曲率以上の隙間Ｓをおいて溝状の開口部13が、両引き出し口部５ａ，５ｂと連通して切欠き形成され、該開口部にコード６の短径部を通過させることによりコード６を第１のコード引き出し口部５ａと第２のコード引き出し口部５ｂとに配設変更可能となっている。
【００１１】
前記のような構成からなっているので、コード６をリール３面に対してほぼ平行に引き出すときには、コード６をリール３に巻回したままの向きで図３，４の鎖線で示すようにそのまま第１のコード引き出し口部５ａから引き出す。これはリール３面を基準とすると水平引き出しとなる。次にコード６をリール３面に対してほぼ直角となるケースカバー２の表面側に引き出すときには、第１のコード引き出し口部５ａを通っているコード６の向きを直角程度変えて短径部が開口部13をむくようにしてここを通し、第２のコード引き出し口部５ｂに位置させる。しかる後、コード６をここから引き出すと、コード６は扁平の長径部が回転ローラ10の表面に載って案内される。しかも、コード６はコード捩じれ防止ガイド11により長径部が確実に回転ローラ10に載るように送られるので、その引き出しがスムーズとなる。これはリール３面を基準とすると垂直引き出しとなる。
【００１２】
第２のコード引き出し口部５ｂからコード６を引き出す場合に有利なのは、このコード巻取装置のケース１を側面とし、あるいは頂面として被取付体に取り付けざるを得ず、コード６を前面、あるいは下面方向に引き出す場合である。そのためにこの実施の形態では図１，２に示すようにケース１の裏面に磁石15を取り付け、該側面等にコード巻取装置を着脱可能に取り付けることができるようになっている。この磁石15はあくまでも好ましい一例であって、そのほかに側面に取り付ける場合はフックのようなものでもよいし、さらに両面テープなど任意の取り付け手段を用いてもよい。
【００１３】
図６，７は別の実施の形態を示し、この実施の形態では前記の開口部13のようなものを排し、第１のコード引き出し口部５ａと第２のコード引き出し口部５ｂをほぼ回転ローラ10の幅で開口連通させた点で、前記の実施の形態と相違する。それ以外の構成はほぼ同様であるので、同様の部分に同一符号を付して説明を省略する。この場合にも同様な作用を期待できる。
【００１４】
図８，９はさらに別の実施の形態を示し、この実施の形態では回転ローラ10をケース１側にも設けた点で、前記の実施の形態と相違する。それ以外の構成は図６，７の実施の形態とほぼ同様であるので、同様の部分に同一符号を付して説明を省略する。この場合にはコード６をケースカバー２の表面側だけでなく、ケース１の裏面側にもスムーズに引き出すことができる。
【００１５】
図10，11はさらにまた別の実施の形態を示し、この実施の形態では回転ローラ10ａを、コード６をリール３面に対してほぼ平行となる左右両側に引き出し可能に２個設け、コード６をリール３面に対してほぼ直角となるケースカバー２の表面側及びケース１の裏面側に引き出し可能に２個設けた回転ローラ10と合わせて合計４個設けた点で、前記の実施の形態と相違する。それ以外の構成は図８，９の実施の形態とほぼ同様であるので、同様の部分に同一符号を付して説明を省略する。この場合にはコード６をケースカバー２の表面側、ケース１の裏面側だけでなく、左右両側にもスムーズに引き出すことができる。
【００１７】
【発明の効果】
請求項１ないし３の発明は前記のような構成からなるので、コードを第１のコード引き出し口部からリール面に対してほぼ平行に引き出すことは勿論、リール面に対してほぼ直角側へ引き出す場合であっても第２のコード引き出し口部からスムーズに引き出すことができる。またコードの配設変更も簡単にできるという優れた効果がある。
【図面の簡単な説明】
【図１】この発明の一実施の形態を示す一部破断の全体の平面図である。
【図２】同上の全体の正面図である。
【図３】破断した部分の拡大平面図である。
【図４】図３のＡ−Ａ線に沿う縦断側面図である。
【図５】図３のＢ−Ｂ線に沿う縦断正面図である。
【図６】別の実施の形態を示す図３対応の拡大平面図である。
【図７】図６のＣ−Ｃ線に沿う縦断側面図である。
【図８】さらに別の実施の形態を示す図３対応の拡大平面図である。
【図９】図８のＤ−Ｄ線に沿う縦断側面図である。
【図１０】さらにまた別の実施の形態を示す図３対応の拡大平面図である。
【図１１】図10のＥ−Ｅ線に沿う縦断側面図である。
【符号の説明】
１  ケース
２  ケースカバー
３  リール
５  コード引き出し口
５ａ  第１のコード引き出し口部
５ｂ  第２のコード引き出し口部
６  コード
７  膨大壁部
10，10ａ  回転ローラ（湾曲体）
11  コード捩じれ防止ガイド
12  支持部
13  溝状の開口部
15  磁石
【図１】
0004017328.tif 000002
【図２】
0004017328.tif 000003
【図３】
0004017328.tif 000004
【図４】
0004017328.tif 000005
【図５】
0004017328.tif 000006
【図６】
0004017328.tif 000007
【図７】
0004017328.tif 000008
【図８】
0004017328.tif 000009
【図９】
0004017328.tif 000010
【図１０】
0004017328.tif 000011
【図１１】
0004017328.tif 000012